(57)【特許請求の範囲】
【請求項１】
スクロール板と２つの側板が、スクロール板に設けられたつめを側板に設けられたつめ幅より幅の広いつめ穴に挿入し、折り曲げることで連結され、吹出口にダクトなどを接続するためのアダプタを取り付ける取付面として上下がスクロール板、左右が側板をアダプタ側取付面と平行となるように折り曲げることによって形成され、アダプタが側板の左右の取付面のみに固定されていることを特徴とする遠心ファンの渦巻ケーシング。
【請求項２】
アダプタを取り付ける取付面として上下がスクロール板を吹出口外側にむかってアダプタ側に傾斜するように折り曲げ、左右が側板をアダプタ側取付面と平行となるように折り曲げることによって形成されていることを特徴とする請求項１記載の遠心ファンの渦巻ケーシング。
【請求項３】
アダプタを取り付ける取付面として上下スクロール板を左右の取付面と平行に折り曲げ、スクロール板による上下の取付面と接するアダプタ側取付面を吹出口外側にむかってスクロール板による取付面側に傾斜するように形成されていることを特徴とする請求項１記載の遠心ファンの渦巻ケーシング。
【請求項４】
アダプタを取り付ける取付面として左右が側板を吹出口外側にむかってアダプタ側に傾斜するように折り曲げ、上下がスクロール板をアダプタ側取付面と平行となるように折り曲げることによって形成されていることを特徴とする請求項１記載の遠心ファンの渦巻ケーシング。
【請求項５】
アダプタを取り付ける取付面として左右が側板を上下の取付面と平行に折り曲げ、側板による左右の取付面と接するアダプタ側取付面を吹出口外側にむかって側板による左右の取付面側に傾斜するように形成されていることを特徴とする請求項１記載の遠心ファンの渦巻ケーシング。
【発明の詳細な説明】
【０００１】
【産業上の利用分野】
本発明は、空調および換気送風などに使用される遠心ファンの渦巻ケーシングに関する。
【０００２】
【従来の技術】
従来、この種の遠心ファンの渦巻ケーシングは、図８に示すように、スクロール板１０１と、２つの側板１０２が溶接やシーム加工などで固定されており、吹出口１０３には、ダクトを接続するためのアダプタ１０４が取り付けられている構成であった。
【０００３】
上記構成において、アダプタ１０４は施工性からねじ１０１などで着脱できるようになっており、吹出口１０３とアダプタ１０４の間は気密性が保たれない。ねじ１０５の本数を多くすると良いが、施工性が悪くなる。このため、吹出口１０３とアダプタ１０４の間にはパッキン１０６が貼り付けられ、送風時に空気もれなどがないようにされていることが広く知られている。
【０００４】
【発明が解決しようとする課題】
このような従来の遠心ファンの渦巻ケーシングでは、吹出口１０４とアダプタ１０５の接合面１０６の気密性を保つためにパッキン１０６が必要となり、部品数が増加することから、組立工数および材料費が増加するという問題があった。
【０００５】
本発明は上記課題を解決するもので、組立工数および材料費が増加しないで吹出口１０４とアダプタ１０５の接合面１０６の気密性を保つ遠心ファンの渦巻ケーシングを提供することを目的とする。
【０００６】
【課題を解決するための手段】
本発明の遠心ファンの渦巻ケーシングは上記目的を達成するために、第１の手段は、スクロール板と２つの側板が、スクロール板に設けられたつめを側板に設けられたつめ幅より幅の広いつめ穴に挿入し、折り曲げることで連結され、吹出口にダクトなどを接続するためのアダプタを取り付ける取付面として上下がスクロール板、左右が側板をアダプタ側取付面と平行となるように折り曲げることによって形成され、アダプタが側板の左右の取付面のみに固定されている構成とする。
【０００７】
また、第２の手段は、第１の手段のアダプタを取り付ける取付面を、上下がスクロール板を吹出口外側にむかってアダプタ側に傾斜するように折り曲げ、左右が側板をアダプタ側取付面となるように折り曲げることによって形成されている構成とする。
【０００８】
また、第３の手段は、第１の手段のアダプタを取り付ける取付面として上下がスクロール板を左右の取付面と平行に折り曲げ、スクロール板による上下の取付面と接するアダプタ側取付面を吹出口外側にむかってスクロール板による取付面側に傾斜するように形成されている構成とする。
【０００９】
また、第４手段は、第１の手段のアダプタを取り付ける取付面を、左右が側板を吹出口外側にむかってアダプタ側に傾斜するように折り曲げ、上下がスクロール板をアダプタ取付面と平行となるように折り曲げることによって形成されている構成とする。
【００１０】
また、第５の手段は、第１の手段のアダプタを取り付ける取付面として左右が側板を上下の取付面と平行に折り曲げ、側板による左右の取付面と接するアダプタ側取付面を吹出口外側にむかって側板による左右の取付面側に傾斜するように形成されている構成とする。
【００１１】
【作用】
本発明は上記した第１の手段の構成により、スクロール板に備えられたつめがつめ幅より幅の広いつめ穴に挿入されて連結されているため、スクロール板が平坦な形状に伸びようとする弾性力によって、スクロール板による上下の取付面が側板による左右の取付面よりアダプタ側に突出する。アダプタを側板による取付面にねじなどで固定されると、スクロール板による取付面は、アダプタ側取付面スクロール板の弾性力によって密着し、気密性を保つことができる。
【００１２】
また、第２の手段の構成により、第１の手段でスクロール板による取付面が、アダプタ側取付面にスクロール板の弾性力によって密着するとき、スクロール板による取付面が傾斜してアダプタ側取付面に接触していくときの弾性力も加わるため、気密性を保つことができる。
【００１３】
また、第３の手段の構成により、第１の手段でスクロール板による取付面が、アダプタ側取付面にスクロール板の弾性力によって密着するとき、アダプタ側取付面が傾斜してスクロール板による取付面に接触していくときの弾性力も加わるため、気密性を保つことができる。
【００１４】
また、第４の手段の構成により、第１の手段でスクロール板による取付面が、アダプタ側取付面にスクロール板の弾性力によって密着するとき、側板による取付面が傾斜してアダプタ側取付面に接触していくときの弾性力も加わるため、気密性を保つことができる。
【００１５】
また、第５の手段の構成により、第１の手段でスクロール板による取付面が、アダプタ側取付面にスクロール板の弾性力によって密着するとき、アダプタ側取付面が傾斜して側板による取付面に接触していくときの弾性力も加わるため、気密性を保つことができる。
【００１６】
【実施例】
以下、本発明の第１実施例について、図１，図２および図３を参照しながら説明する。なお、従来例と同一箇所には同一番号を付し、詳細な説明は省略する。
【００１７】
図に示すように、曲げに対して復元しようとする弾性力を持つ金属からできたスクロール板１０１の側辺には側板１０２との連結のためのつめ１が複数個設けられ、２つの側板１０２には、スクロール板１０１に備えられたつめ１を挿入するためにつめ１の幅より広い幅のつめ穴２がつめ１と同数だけ設けられている。スクロール板１０１は渦巻形状を形成すべく曲げられ、複数個のつめ１を相対する複数個のつめ穴２に挿入したのちに折り曲げられ、スクロール板１０１と２つの側板１０２は連結される。また、吹出口１０３には、アダプタ１０４を取り付けるために上下の取付面３がスクロール板１０１、左右の取付面４が側板１０２を上下のアダプタ側取付面５および左右のアダプタ側取付面６と平行となるように折り曲げることによって形成されている。
【００１８】
このとき、スクロール板１０１には、曲げに対して復元しようとする弾性力が作用し、つめ１の幅よりつめ穴２の幅が広いことから、スクロール板１０１はつめ穴２のなかをつめ１が移動できる距離だけ平坦に戻るように変形し、その結果上下の取付面３は左右の取付面４よりアダプタ１０４側に突出することになる。アダプタ１０４を取り付けるためにねじ１０５を締めこんでゆくと、上下のアダプタ側取付面５はアダプタ１０４側に突出している上下の取付面３に接触する。さらに、ねじ１０５を締めこんでゆくと上下の取付面３はアダプタ１０４に押されながら密着し、スクロール板１０１はつめ穴２のなかをつめ１が移動できる距離だけ変形する。左右の取付面４と左右のアダプタ側取付面６が密着したとき、上下の取付面３と上下のアダプタ側取付面５は弾性力で密着しており、気密性が保たれ空気もれは発生しない。
【００１９】
このように本発明の第１実施例の遠心ファンの渦巻ケーシングによれば、スクロール板１０１の弾性力によって吹出口１０３とアダプタ１０４の間の気密性を保つことができる。
【００２０】
つぎに、本発明の第２実施例について、図５を参照しながら説明する。なお、第１実施例と同一箇所には同一番号を付し、詳細な説明は省略する。
【００２１】
図に示すように、アダプタ１０４を取り付けるために、上下の取付面３がスクロール板１０１を吹出口１０３外側にむかってアダプタ１０４側に傾斜するように折り曲げ、左右の取付面４が側板１０２を左右のアダプタ側取付面６と平行となるように折り曲げることによって形成されている。
【００２２】
アダプタ１０４を取り付けるためにねじ１０５を締めこんでゆくと、上下のアダプタ側取付面７はアダプタ１０４側に突出している上下の取付面３の端辺７に接触する。さらに、ねじ１０５を締めこんでゆくと上下の取付面３はアダプタ１０４に押され、アダプタ側取付面５と平行になるように変形して密着し、スクロール板１０１はつめ穴２のなかをつめ１が移動できる距離だけ変形する。左右の取付面４と左右のアダプタ側取付面６が密着したとき、上下の取付面３と上下のアダプタ側取付面５は弾性力で密着しており、気密性が保たれ空気もれは発生しない。
【００２３】
このように本発明の第２実施例の遠心ファンの渦巻ケーシングによれば、スクロール板１０１と上下の取付面３の弾性力によって吹出口１０３とアダプタ１０４の間の気密性を保つことができる。
【００２４】
つぎに、本発明の第３実施例について、図６を参照しながら説明する。なお、第１実施例と同一箇所には同一番号を付し、詳細な説明は省略する。
【００２５】
図に示すように、アダプタ１０４を取り付けるために、上下の取付面３がスクロール板１０１を、左右の取付面４が側板１０２を左右のアダプタ側取付面６と平行となるように折り曲げ、上下のアダプタ側取付面５が吹出口１０３外側にむかって上下の取付面３側に傾斜するように形成されている。
【００２６】
アダプタ１０４を取り付けるためにねじ１０５を締めこんでゆくと、上下のアダプタ側取付面５はアダプタ１０４側に突出している上下の取付面３の端辺７に接触する。さらに、ねじ１０５を締めこんでゆくと上下のアダプタ側取付面５は上下の取付面３に押され、上下の取付面３と平行になるように変形して密着し、スクロール板１０１はつめ穴２のなかをつめ１が移動できる距離だけ変形する。左右の取付面４と左右のアダプタ側取付面６が密着したとき、上下の取付面３と上下のアダプタ側取付面５は弾性力で密着しており、気密性が保たれ空気もれは発生しない。
【００２７】
このように本発明の第３実施例の遠心ファンの渦巻ケーシングによれば、スクロール板１０１と上下のアダプタ側取付面５の弾性力によって吹出口１０３とアダプタ１０４の間の気密性を保つことができる。
【００２８】
つぎに、本発明の第４実施例について、図６を参照しながら説明する。なお、第１実施例と同一箇所には同一番号を付し、詳細な説明は省略する。
【００２９】
図に示すように、アダプタ１０４を取り付けるために、左右の取付面４が側板１０２を吹出口１０３外側にむかってアダプタ１０４側に傾斜するように折り曲げ、上下の取付面３がスクロール板１０１を上下のアダプタ側取付面５と平行となるように折り曲げることによって形成されている。
【００３０】
アダプタ１０４を取り付けるためにねじ１０５を締めこんでゆくと、左右のアダプタ側取付面６と左右の取付面４の端辺８が接触する。さらに、ねじ１０５を締めこんでゆくと左右の取付面４はアダプタ１０４に押され、左右のアダプタ側取付面６と平行になるように変形していく。また、上下のアダプタ側取付面５はアダプタ１０４側に突出している上下の取付面３に接触し、上下の取付面３はアダプタ１０４に押されながら密着し、スクロール板１０１はつめ穴２のなかをつめ１が移動できる距離だけ変形する。左右の取付面４と左右のアダプタ側取付面６が完全に密着したとき、上下の取付面３と上下のアダプタ側取付面５は弾性力で密着しており、気密性が保たれ空気もれは発生しない。
【００３１】
このように本発明の第４実施例の遠心ファンの渦巻ケーシングによれば、スクロール板１０１と左右の取付面４の弾性力によって吹出口１０３とアダプタ１０４の間の気密性を保つことができる。
【００３２】
つぎに、本発明の第５実施例について、図７を参照しながら説明する。なお、第１実施例と同一箇所には同一番号を付し、詳細な説明は省略する。
【００３３】
図に示すように、アダプタ１０４を取り付けるために、上下の取付面３がスクロール板１０１を、左右の取付面４が側板１０２を左右のアダプタ側取付面６と平行となるように折り曲げ、左右のアダプタ側取付面６が吹出口１０３外側にむかって左右の取付面４側に傾斜するように形成されている。
【００３４】
アダプタ１０４を取り付けるためにねじ１０５を締めこんでゆくと、左右のアダプタ側取付面６と左右の取付面４の端辺８が接触する。さらに、ねじ１０５を締めこんでゆくと左右のアダプタ側取付面６は左右の取付面４に押され、左右の取付面４と平行になるように変形していく。また、上下のアダプタ側取付面５はアダプタ１０４側に突出している上下の取付面３に接触し、上下の取付面３はアダプタ１０４に押されながら密着し、スクロール板１０１はつめ穴２のなかをつめ１が移動できる距離だけ変形する。左右の取付面４と左右のアダプタ側取付面６が完全に密着したとき、上下の取付面３と上下のアダプタ側取付面５は弾性力で密着しており、気密性が保たれ空気もれは発生しない。
【００３５】
このように本発明の第４実施例の遠心ファンの渦巻ケーシングによれば、スクロール板１０１と左右のアダプタ側取付面６の弾性力によって吹出口１０３とアダプタ１０４の間の気密性を保つことができる。
【００３６】
【発明の効果】
以上の実施例から明らかなように、本発明によればスクロール板の弾性力によって、吹出口とアダプタの間の気密性を保つため、パッキンなどが不要となり組立工数および材料費が増加しないで、気密性を保ち空気もれが発生しない遠心ファンの渦巻ケーシングが提供できる。
【図面の簡単な説明】
【図１】本発明の第１実施例の遠心ファンの渦巻ケーシングの側面図
【図２】同つめの取り付け詳細図
【図３】同吹出口部へのアダプタ取り付け詳細図
【図４】本発明の第２実施例の遠心ファンの渦巻ケーシングの吹出口部へのアダプタ取り付け詳細図
【図５】本発明の第３実施例の遠心ファンの渦巻ケーシングの吹出口部へのアダプタ取り付け詳細図
【図６】本発明の第４実施例の遠心ファンの渦巻ケーシングの吹出口部へのアダプタ取り付け詳細図
【図７】本発明の第５実施例の遠心ファンの渦巻ケーシングの吹出口部へのアダプタ取り付け詳細図
【図８】従来の遠心ファンの渦巻ケーシングの側面図
【符号の説明】
１    つめ
２    つめ穴
３    上下の取付面
４    左右の取付面
５    上下のアダプタ側取付面
６    左右のアダプタ側取付面
１０１  スクロール板
１０２  側板
１０３  吹出口
１０４  アダプタ
【図１】
0003549249.tif 000002
【図２】
0003549249.tif 000003
【図３】
0003549249.tif 000004
【図４】
0003549249.tif 000005
【図５】
0003549249.tif 000006
【図６】
0003549249.tif 000007
【図７】
0003549249.tif 000008
【図８】
0003549249.tif 000009